(57)【要約】 【課題】  マルチビュー表示装置における視野角あるいは視野範囲の調整が適切に行えるマルチビュー表示装置を提供する。【解決手段】  画像表示部６の前面に設置された光遮蔽パネル８により、各表示画素からの光の出射方向を規制して一つの表示手段から複数方向に異なる画像を出力するマルチビュー表示装置１において、視野角調整信号を入力する入力手段と、入力された視野角調整信号に応じて、前記光遮蔽部における出射光の遮蔽位置を可変する遮蔽位置可変手段とを備える。【選択図】      図１
2006184900.tif 000002
【特許請求の範囲】
【請求項１】
画像表示部の前面に設置された光遮蔽部により、各表示画素からの光の出射方向を規制して一つの表示手段から複数方向に異なる画像を出力するマルチビュー表示装置において、
視野角調整信号を入力する入力手段と、
前記入力された視野角調整信号に応じて、前記光遮蔽部における出射光の遮蔽位置を可変する遮蔽位置可変手段とを備えることを特徴とするマルチビュー表示装置。
【請求項２】
前記視野角調整信号は、異なった画像を出力する方向毎に調整値を示す信号であることを特徴とする請求項１記載のマルチビュー表示装置。
【請求項３】
前記入力手段に接続され、視野角の調整値を記憶するための視野角調整値記憶手段と、前記視野角調整値記憶手段に記憶された調整値に応じた視野角調整信号を前記入力手段に出力する視野角調整信号出力手段とを有するプリセット手段を備えたことを特徴とする請求項１または２記載のマルチビュー表示装置。
【請求項４】
前記視野角調整値記憶手段は、異なった画像を出力する方向毎に調整値を記憶することを特徴とする請求項３記載のマルチビュー表示装置。
【請求項５】
前記視野角調整値記憶手段は、異なった画像を出力する方向毎に複数の調整値を記憶することを特徴とする請求項４記載のマルチビュー表示装置。
【請求項６】
前記遮蔽位置可変手段は、液晶素子により光の透過／遮蔽制御を行う液晶透過／遮蔽板により構成されることを特徴とする請求項１〜５のいずれか１つに記載のマルチビュー表示装置。
【請求項７】
前記入力手段は、視野角を調整するための視野角調整スイッチの信号を入力することを特徴とする請求項１〜６のいずれか１つに記載のマルチビュー表示装置。
【請求項８】
前記視野角調整スイッチによる調整中に、前記表示手段に調整用画像を表示する調整用画像表示手段を備えたことを特徴とする請求項７記載のマルチビュー表示装置。
【請求項９】
前記視野角調整スイッチによる調整中に、前記表示手段に調整値を示す画像を表示する調整値表示手段を備えたことをことを特徴とする請求項７または８記載のマルチビュー表示装置。
【請求項１０】
前記視野角調整スイッチによる調整中に、画像が視認可能な角度の範囲である視認範囲を狭くする視認範囲調整手段を備えたことを特徴とする請求項７または８記載のマルチビュー表示装置。
【請求項１１】
前記入力手段は、車両の走行状態を示す走行状態信号を入力することを特徴とする請求項１〜１０のいずれか１つに記載のマルチビュー表示装置。
【請求項１２】
前記入力手段は、周囲温度を示す温度信号を入力することを特徴とする請求項１〜１１のいずれか１つに記載のマルチビュー表示装置。
【請求項１３】
前記入力手段は、視認者の位置を示す位置信号を入力することを特徴とする請求項１〜１２のいずれか１つに記載のマルチビュー表示装置。
【請求項１４】
前記入力手段は、視認者の左右の目の位置を示す目視位置信号を入力し、
前記遮蔽位置可変手段は、視認者が左右の目で異なった画像を目視できるように前記光遮蔽部における出射光の遮蔽位置を可変することを特徴とする請求項１記載のマルチビュー表示装置。
【請求項１５】
画像表示部の前面に設置された光遮蔽部により、各表示画素からの光の出射方向を規制して一つの表示手段から複数方向に異なる画像を出力するマルチビュー表示装置において、
画像が視認可能な角度の範囲である視認範囲を示す視認範囲の調整信号を入力する視認範囲入力手段と、
前記入力された視認範囲調整信号に応じて、前記光遮蔽部における出射光の遮蔽位置を可変する遮蔽位置可変手段とを備えることを特徴とするマルチビュー表示装置。
【請求項１６】
前記視認範囲調整信号は、異なった画像を出力する方向毎に調整値を示す信号であることを特徴とする請求項１５記載のマルチビュー表示装置。
【請求項１７】
前記視認範囲入力手段に接続され、視認範囲の調整値を記憶するための視認範囲調整値記憶手段と、
前記視認範囲調整値記憶手段に記憶された調整値に応じた視認範囲調整信号を前記視認範囲入力手段に出力する視認範囲調整信号出力手段とを有するプリセット手段を備えたことを特徴とする請求項１５または１６記載のマルチビュー表示装置。
【請求項１８】
前記視認範囲調整値記憶手段は、異なった画像を出力する方向毎に調整値を記憶することを特徴とする請求項１７記載のマルチビュー表示装置。
【請求項１９】
前記視認範囲調整値記憶手段は、異なった画像を出力する方向毎に複数の調整値を記憶することを特徴とする請求項１８記載のマルチビュー表示装置。
【請求項２０】
前記視認範囲入力手段は、視認範囲を調整するための視認範囲調整スイッチの信号を入力することを特徴とする請求項１５〜１９のいずれか１つに記載のマルチビュー表示装置。
【発明の詳細な説明】
【技術分野】
【０００１】
本発明は、一つの表示手段から複数方向に異なる画像を出力するマルチビュー表示装置に関する。
【背景技術】
【０００２】
表示パネルを見る方向によって異なる映像が観察される表示装置、たとえば二つの方向から異なる映像が観察されるマルチビュー表示装置が考案されている（たとえば特許文献１参照）。前記マルチビュー表示装置はマルチプルビュー（Multiple View）表示装置と
も呼ばれる。
【０００３】
【特許文献１】特開２００４−２０６０８９号公報
【発明の開示】
【発明が解決しようとする課題】
【０００４】
マルチビュー表示装置はその構造上、視認できる視野角に制限がある。しかし、マルチビュー表示装置の視認者の位置は一定ではないので、その調整が必要となる。
【０００５】
本発明の目的は、マルチビュー表示装置における視野角あるいは視野範囲の調整が適切に行えるマルチビュー表示装置を提供することである。
【課題を解決するための手段】
【０００６】
本発明は、画像表示部の前面に設置された光遮蔽部により、各表示画素からの光の出射方向を規制して一つの表示手段から複数方向に異なる画像を出力するマルチビュー表示装置において、
視野角調整信号を入力する入力手段と、
前記入力された視野角調整信号に応じて、前記光遮蔽部における出射光の遮蔽位置を可変する遮蔽位置可変手段とを備えることを特徴とするマルチビュー表示装置である。
【０００７】
また本発明は、前記視野角調整信号は、異なった画像を出力する方向毎に調整値を示す信号であることを特徴とする。
【０００８】
また本発明は、前記入力手段に接続され、視野角の調整値を記憶するための視野角調整値記憶手段と、前記視野角調整値記憶手段に記憶された調整値に応じた視野角調整信号を前記入力手段に出力する視野角調整信号出力手段とを有するプリセット手段を備えたことを特徴とする。
【０００９】
また本発明は、前記視野角調整値記憶手段は、異なった画像を出力する方向毎に調整値を記憶することを特徴とする。
【００１０】
また本発明は、前記視野角調整値記憶手段は、異なった画像を出力する方向毎に複数の調整値を記憶することを特徴とする。
【００１１】
また本発明は、前記遮蔽位置可変手段は、液晶素子により光の透過／遮蔽制御を行う液晶透過／遮蔽板により構成されることを特徴とする。
【００１２】
また本発明は、前記入力手段は、視野角を調整するための視野角調整スイッチの信号を入力することを特徴とする。
【００１３】
また本発明は、前記視野角調整スイッチによる調整中に、前記表示手段に調整用画像を表示する調整用画像表示手段を備えたことを特徴とする。
【００１４】
また本発明は、前記視野角調整スイッチによる調整中に、前記表示手段に調整値を示す画像を表示する調整値表示手段を備えたことをことを特徴とする。
【００１５】
また本発明は、前記視野角調整スイッチによる調整中に、画像が視認可能な角度の範囲である視認範囲を狭くする視認範囲調整手段を備えたことを特徴とする。
【００１６】
また本発明は、前記入力手段は、車両の走行状態を示す走行状態信号を入力することを特徴とする。
【００１７】
また本発明は、前記入力手段は、周囲温度を示す温度信号を入力することを特徴とする。
【００１８】
また本発明は、前記入力手段は、視認者の位置を示す位置信号を入力することを特徴とする。
【００１９】
また本発明は、前記入力手段は、視認者の左右の目の位置を示す目視位置信号を入力し、
前記遮蔽位置可変手段は、視認者が左右の目で異なった画像を目視できるように前記光遮蔽部における出射光の遮蔽位置を可変することを特徴とする。
【００２０】
また本発明は、画像表示部の前面に設置された光遮蔽部により、各表示画素からの光の出射方向を規制して一つの表示手段から複数方向に異なる画像を出力するマルチビュー表示装置において、
画像が視認可能な角度の範囲である視認範囲を示す視認範囲の調整信号を入力する視認範囲入力手段と、
前記入力された視認範囲調整信号に応じて、前記光遮蔽部における出射光の遮蔽位置を可変する遮蔽位置可変手段とを備えることを特徴とするマルチビュー表示装置である。
【００２１】
また本発明は、前記視認範囲調整信号は、異なった画像を出力する方向毎に調整値を示す信号であることを特徴とする。
【００２２】
また本発明は、前記視認範囲入力手段に接続され、視認範囲の調整値を記憶するための視認範囲調整値記憶手段と、
前記視認範囲調整値記憶手段に記憶された調整値に応じた視認範囲調整信号を前記視認範囲入力手段に出力する視認範囲調整信号出力手段とを有するプリセット手段を備えたことを特徴とする。
【００２３】
また本発明は、前記視認範囲調整値記憶手段は、異なった画像を出力する方向毎に調整値を記憶することを特徴とする。
【００２４】
また本発明は、前記視認範囲調整値記憶手段は、異なった画像を出力する方向毎に複数の調整値を記憶することを特徴とする。
【００２５】
また本発明は、前記視認範囲入力手段は、視認範囲を調整するための視認範囲調整スイッチの信号を入力することを特徴とする。
【発明の効果】
【００２６】
本発明によれば、入力された視野角調整信号に応じて、遮蔽位置可変手段が光遮蔽部における出射光の遮蔽位置を可変するので、以下の効果を奏する。種々の視野角調整信号に対応する遮蔽部の最適な遮蔽位置を得ることができる。入力手段からの視野角調整信号に応じて、画像表示部の前面に設置された光遮蔽部の遮蔽位置を可変して視野角調整を実現できるので、スリットをモータ等の駆動源を用いて主体的に駆動制御するような従来技術に比べて、（１）部品点数の低減を図ることが可能となる。（２）視野角調整の応答性を高めることが可能となる。（３）前記（１）の効果によって製作コストの削減およびマルチビュー表示装置自体の小形化を図ることができる。また入力手段からの視野角調整信号に応じて、光遮蔽部の遮蔽位置を可変して視野角調整を実現できるので、マルチビュー表示装置における視野角あるいは視野範囲の調整を適切に行うことができる。
【００２７】
また本発明によれば、複数方向に異なる画像を容易に出力できる。その他クロストークの低減を図ることも可能となる。
【００２８】
また本発明によれば、視野角調整値記憶手段に記憶された調整値に応じた視野角調整信号を入力手段に出力するので、視野角調整を簡単かつ迅速に行うことができる。逆に言えば、調整値を視野角調整値記憶手段に一旦記憶すると、光遮蔽部における出射光の遮蔽位置は、調整値に応じて一義的に求められる。よって視野角調整を簡単かつ迅速に行うことができる。
【００２９】
また本発明によれば、異なる画像を出力する方向毎に調整値が記憶されるので、各方向に存在する視認者に応じた視野角が設定される。
【００３０】
また本発明によれば、異なる画像を出力する方向毎に複数の調整値が記憶されるので、各方向に存在する視認者に最適な視野角が設定される。複数方向に存在する複数の視認者は、それぞれ異なる明瞭な画像を確実に視認することができる。
【００３１】
また本発明によれば、液晶素子により光の透過／遮蔽制御を実現できる。したがって駆動源を用いてスリットを駆動制御する従来技術に比べて、構造を簡単化することができるうえ、装置の小形化を図ることができる。
【００３２】
また本発明によれば、視野角調整スイッチの信号が入力されることで、光遮蔽部の遮蔽位置を可変する。視認者自ら視野角調整スイッチを調整することができる。
【００３３】
また本発明によれば、視野角調整スイッチ調整中に、調整用画像が表示されるので、この調整用画像を視認者自ら確認しつつ視野角調整スイッチを調整することができる。
【００３４】
また本発明によれば、視野角調整スイッチ調整中に、調整値を示す画像が表示されるので、この調整値を視認者自ら確認しつつ視野角調整スイッチを調整することができる。したがって視野角調整の再現性を高めることができる。
【００３５】
また本発明によれば、視野角調整スイッチ調整中に、視認範囲を狭くすることで、視野角調整を高精度で行うことができる。
【００３６】
また本発明によれば、車両の走行状態信号を入力することで、車両の走行状態に応じた光遮蔽部の遮蔽位置を可変する。前記走行状態に反して自ら頭部等を移動させる必要がなくなる。したがって視認者の負担を軽減することができる。
【００３７】
また本発明によれば、温度信号を入力することで、周囲温度に対応する光遮蔽部の遮蔽
位置を補正することができる。より高精度な視野角調整をすることができる。
【００３８】
また本発明によれば、位置信号を入力することで視認者の位置を特定し、視認者の位置に適する高精度な視野角調整をすることができる。
【００３９】
また本発明によれば、目視位置信号を入力することで、視認者は左右の目で異なる画像を目視できるので、当該視認者は立体画像を目視することが可能となる。
【００４０】
また本発明によれば、入力された視認範囲調整信号に応じて、遮蔽位置可変手段が光遮蔽部における出射光の遮蔽位置を可変するので、以下の効果を奏する。種々の視認範囲調整信号に対応する遮蔽部の最適な遮蔽位置を得ることができる。視認範囲入力手段からの視認範囲調整信号に応じて、画像表示部の前面に設置された光遮蔽部の遮蔽位置を可変して視認範囲調整を実現できるので、請求項１と同様の効果を奏する。
【００４１】
また本発明によれば、複数方向に異なる画像を容易に出力できる。その他クロストークの低減を図ることも可能となる。
【００４２】
また本発明によれば、視認範囲調整値記憶手段に記憶された調整値に応じた視認範囲調整信号を視認範囲入力手段に出力するので、視認範囲調整を簡単かつ迅速に行うことができる。逆に言えば、調整値を視認範囲調整値記憶手段に一旦記憶すると、光遮蔽部における出射光の遮蔽位置は、調整値に応じて一義的に求められる。よって視認範囲調整を簡単かつ迅速に行うことができる。
【００４３】
また本発明によれば、異なる画像を出力する方向毎に調整値が記憶されるので、各方向に存在する視認者に応じた視認範囲が設定される。
【００４４】
また本発明によれば、異なる画像を出力する方向毎に複数の調整値が記憶されるので、各方向に存在する視認者に最適な視認範囲が設定される。複数方向に存在する複数の視認者は、それぞれ異なる画像を確実に視認することができる。
【００４５】
また本発明によれば、視認範囲調整スイッチの信号が入力されることで、光遮蔽部の遮蔽位置を可変する。視認者自ら視認範囲調整スイッチを調整することができる。
【発明を実施するための最良の形態】
【００４６】
以下、図面を参照しながら本発明を実施するための形態を、複数の形態について説明する。各形態で先行する形態で説明している事項に対応している部分には同一の参照符を付し、重複する説明を略する場合がある。構成の一部のみを説明している場合、構成の他の部分は、先行して説明している形態と同様とする。実施の各形態で具体的に説明している部分の組合せばかりではなく、特に組合せに支障が生じなければ、実施の形態同士を部分的に組合せることも可能である。
【００４７】
図１は、本発明の実施形態に係るマルチビュー表示装置を示し、図１（ａ）は、運転席側に出力される画像の一例を表す図、図１（ｂ）は、助手席側に出力される画像の一例を表す図、図１（ｃ）は要部の断面図である。図２は、マルチビュー表示装置１の制御系のブロック図である。本実施形態に係るマルチビュー表示装置１は、車両に搭載される。ただしマルチビュー表示装置は、車両用に必ずしも限定されるものではなく、車両用以外の電子機器にも適用可能である。なお以下の説明は、遮蔽位置調整方法の説明をも含む。
【００４８】
マルチビュー表示装置１は、画像を表示するディスプレイ本体２と、ドライバ３と、マイクロコンピュータ４と、メモリ５とを有する。ディスプレイ本体２（単にディスプレイ
２という場合がある）は液晶表示パネル６、タッチパネル７、光遮蔽パネル８、バックライト９および偏光板１０等によって実現される。液晶表示パネル６の各画素を駆動して画像を表示するドライバ３と、マイクロコンピュータ４とは、たとえばディスプレイ本体２内に格納される。マイクロコンピュータ４は、中央演算処理装置１１（ＣＰＵ：Central Processing Unit）とロム１２（ＲＯＭ：Read Only Memory ）とラム１３（ＲＡＭ：
Random Access Memory ）とを有する。ＣＰＵ１１とロム１２とラム１３とは、バス１４
を介して入出力インタフェース１５に電気的に接続されている。視野角調整値および視認範囲調整値等を記憶するメモリ５は、バス１４を介してＣＰＵ１１等に接続される。
【００４９】
ディスプレイ本体２は、画像表示を行う液晶表示素子から成る液晶表示パネル６と、液晶表示パネル６の各画素からの出射光の出射方向を透過／遮蔽することにより、規制する液晶表示素子からなる光遮蔽パネル８等とからなる。液晶表示素子（ＴＦＴ−ＬＣＤ）２１は、バックライト９および偏光板１０から板厚方向にやや離隔して配設され、かつガラス板により形成された２つの電極基板２２，２３で液晶層を挟んで構成される。液晶表示パネル６の前面つまり光発光方向側の前面には、光遮蔽パネル８が設置される。光遮蔽パネル８も液晶表示パネル６と同様ガラス板により形成された電極基板１６，２５間に液晶素子２４が設けられる。そして、偏光板１０ａ，１０ｂ，１０ｃが各々電極基板２３のバックライト９間、電極基板２２，２５間、電極基板１６の外側に設けられる。偏光板１０ｂ，１０ｃにより形成された光遮蔽パネル８が液晶表示装置と同様の原理で光の透過／遮断を行う。そして、各液晶透過／遮断画素毎に、これらガラス基板１６，２２および液晶素子２４が、光の透過／遮蔽制御を行うことにより、遮蔽位置が可変できる。そして、入力される視野角調整信号および視認範囲調整信号に応じて、光遮蔽パネル８における出射光の遮蔽位置が可変される。
【００５０】
なお、液晶表示パネル６の素子はドライバ３により、また光遮蔽パネル８の素子はドライバ２０により駆動される。なお、視野角調整は、光遮蔽パネル８における遮蔽位置を調整することにより、また視認範囲調整（視野範囲調整という場合がある）は光遮蔽パネル８の透光部分の面積を調整することにより調整できる。
【００５１】
図３は、マルチビュー表示装置１の視野角調整を段階的に示す概略図であり、図３（ａ）は視野角調整をする前段階の状態を示す図、図３（ｂ）は視野角調整をする第１段階の状態を示す図、図３（ｃ）は視野角調整をする第２段階の状態を示す図である。図１および図２も参照しつつ説明する。前記視野角調整信号は、異なった画像を出力する方向（単に、各方向と称す）毎の調整値であって視野角の調整値を示す信号である。この視野角調整信号は、たとえば視認者によって入力手段であるタッチパネル７を介して入力可能になっている。メモリ５のうち、視野角の調整値記憶領域には、各方向毎に複数の調整値が記憶される。ただし複数の調整値に必ずしも限定されるものではなく、メモリ５の視野角の調整値記憶領域に、各方向毎に１つの調整値が記憶される場合もあり得る。そして、タッチパネル７の操作に応じて、調整対象の方向に対する調整値がメモリ５から読み出されて視野角調整信号がドライバ２０に出力される。また、タッチパネル７の登録操作により、操作時点の視野角に対応する調整値がメモリ５に記憶される。これらの動作により、視野角のプリセット機能が実現される。
【００５２】
前記タッチパネル７は視野角調整スイッチとしても機能する。この視野角調整スイッチは視野角を調整するためのスイッチであり、各方向の画像について、視野角を左右に移動する指示を行えるようになっている。マルチビュー表示装置１はさらに調整用画像表示手段および調整値表示手段を備えている。これらのうち調整用画像表示手段は、タッチパネル７による視野角の調整中においてディスプレイ２に調整用画像、たとえば視野角が適切に調整された場合に、その視野角方向で見たときに識別できるような画像を表示する。なお、調整用画像はメモリ５に記憶されている。また調整値表示手段は、視野角調整中にお
いてディスプレイ２にその調整値を示す画像を表示する。この調整値を示す画像は、たとえば調整値の増減に応じて増減するレベルメータ、円グラフ、ベクトル表示などを含む。ただしこれらの画像のみに必ずしも限定されるものではない。マルチビュー表示装置１は、さらに視認範囲調整手段を備えている。この視認範囲調整手段は、視野角調整中に、画像が視認可能な範囲（角度幅）である視認範囲を狭くする（図４参照）。
【００５３】
図４は、マルチビュー表示装置１の視認範囲（角度幅）調整を段階的に示す概略図であり、図４（ａ）は視認範囲調整をする前段階の状態を示す図、図４（ｂ）は視認範囲調整段階の状態を示す図である。図中、視認範囲をα１、β１およびβ２で表記する。図１および図２も参照しつつ説明する。前記視認範囲調整信号とは、画像が視認可能な角度の範囲である視認範囲（角度幅）を示す信号である。視認範囲調整信号は、各方向毎の視認範囲の調整値を示す信号である。この視認範囲調整信号は、たとえば視認者によってタッチパネル７を介して入力可能になっている。前記メモリ５のうち、視認範囲の調整値記憶領域には、各方向毎に複数の調整値が記憶される。ただし複数の調整値に必ずしも限定されるものではなく、メモリ５の視認範囲の調整値記憶領域に、各方向毎に調整値が記憶される場合もあり得る。なお、当該マルチビュー表示装置は、前述のメモリ５と、タッチパネル７により、視野角のプリセット機能と同様の視認範囲のプリセット機能を備えている。
【００５４】
前記タッチパネル７は視認範囲調整スイッチとしての機能も有する。この視認範囲調整スイッチは視認範囲を調整するためのスイッチであり、各方向の画像について、視認範囲を広狭する指示を行えるようになっている。またマルチビュー表示装置１は、視認範囲調整段階においてディスプレイ２にその調整が行い易い調整用画像を表示する機能も備えている。なお、調整用画像はメモリ５に記憶されている。前述の調整値表示手段は、視認範囲調整スイッチによる調整段階においてディスプレイ２にその調整値を示す画像を表示する。この調整値を示す画像は、たとえば調整値の増減に応じて増減するレベルメータ、円グラフ、ベクトル表示などを含む。ただしこれらの画像のみに必ずしも限定されるものではない。
【００５５】
図５は、本発明の実施形態に係る遮蔽位置調整処理を概略表すフローチャートである。本遮蔽位置調整処理は、ＣＰＵ１１により行われる。この処理は、マルチビュー表示装置１動作中繰返し行われる。ステップａ１では入力信号の有無が判断される。入力信号があればステップａ２に移行し、なければ処理を終える。入力信号はたとえばタッチパネル７において視野角調整スイッチまたは視認範囲調整スイッチの押圧操作による信号や、あるいは、車両の走行状態を示す走行状態信号等、視野角等の調整実行を行う状態を示すもので、予め設定されたものである。また前記走行状態信号としては、車両に設けられる、たとえばジャイロ、加速度センサ、車速検出手段、その他車両の状態を検出するセンサにより実現できる。また、その他の入力としてマルチビュー表示装置１の周囲温度を示す温度信号（熱電対素子）、視認者の位置を示す位置信号（たとえば車両に設置されるＣＣＤカメラを用いて視認者の位置を検出、シート位置により視認者の位置を検出）等が考えられる。
【００５６】
ステップａ２では、光遮蔽パネル８の各素子を制御し、入力信号に応じた遮蔽位置にする。なお、入力に応じた光遮蔽パネル８の素子制御パターンがメモリ５に記憶されており、このパターンデータに基づき各素子が制御される。車両状況に応じた制御例を説明すると、たとえばカーブを走行する場合には、図３（ｂ）および図３（ｃ）に示すように、運転者および乗員は、遠心力によって直線走行する場合に比べて身体が車幅方向にやや変位（変位量「δ」）する。左カーブを走行する場合において、その変位量に応じて車幅方向に対して、運転者側に出力すべき画像の視野角を、図３（ａ）の直線走行状態よりも鋭角にすべく調整値が定められる。この調整値は、車両に設けられたセンサからの信号に基づきメモリ５から読み出される。そして、この調整値に基づき画像の視野角が制御される。
【００５７】
図３（ｃ）に示すように、右カーブを走行する場合においては、その変位量に応じて車幅方向に対して、運転者側に出力すべき画像の視野角を、図３（ａ）の直線走行状態よりも鈍角にすべく調整値が定められる。これとともに乗員に出力すべき画像の視野角を、直線走行状態よりも鋭角にすべく調整値が定められ、調整される。またその他車両が急加速または急停車する場合には、運転者および乗員は、慣性力等によって身体が車両の前後方向に変位するが、その変位量に応じて、各方向の視野角の調整値を定める場合もある。このようにステップａ２において入力信号に応じて、遮蔽部における出射光の遮蔽位置を可変した後、本処理を終了する。
【００５８】
図６は、本発明の実施形態に係る遮蔽位置調整処理を示すフローチャートである。本遮蔽位置調整処理はＣＰＵ１１により行われる。この処理は、操作者により視野角（視認範囲）の調整開始操作により、開始される。つまり、操作者が調整を行う意志を示したときだけ調整を行い、望まれない調整は行わないようにしたものである。ステップｂ１では、調整値に関する入力信号の有無を判断し、入力信号があればステップｂ２に移行し、なければステップｂ５に移行する。そしてステップｂ５では、調整値をデフォルト値にし、処理を終了する。
【００５９】
ステップｂ２において、入力信号に対応する調整値がメモリ５に記憶されているか否かを判断し、記憶されていればステップｂ３に移行し、記憶されていなければステップｂ６に移行する。ステップｂ６では、操作者によるマニュアル操作を促す表示とその操作画面を表示し、本処理を終了する。ステップｂ３では、メモリ５から、入力信号に応じた調整値に応じた信号を読出し、ステップｂ４に移行する。ステップｂ４では、メモリ５から読出した調整値をドライバ２０に出力し、処理を終える。
【００６０】
図７は、本発明の実施形態に係る調整値記憶処理を表すフローチャートである。本調整値記憶処理はＣＰＵ１１により行われる。この処理は、操作者による調整値登録操作（タッチパネル７の操作）により開始される。ステップｃ１では、入力信号を読込みステップｃ２に移行する。
【００６１】
ステップｃ２では、光遮蔽パネル８の調整値を読込み、ステップｃ３に移行する。ステップｃ３では、その入力信号に対する調整値が記憶されているか否かが判断され、記憶されていると、ステップｃ４に移行し、記憶されていないとステップｃ５に移行する。ステップｃ４では、メモリ５に記憶された同じ入力信号に対する調整値を新たな調整値で更新し処理を終了する。ステップｃ５では、入力信号と調整値を対応付けてメモリ５の空き領域に記憶し、本処理を終了する。
【００６２】
以上説明したマルチビュー表示装置１によれば、入力された視野角調整信号に応じて、液晶透過／遮蔽板が光遮蔽パネル８における出射光の遮蔽位置を可変するので、以下の効果を奏する。遮蔽位置は全体的に移動するだけでなく、細かく別々に色々なパターンで変えることができるので、種々の視野角調整信号に対応する光遮蔽パネル８の最適な遮蔽位置を得ることができる。入力手段からの視野角調整信号に応じて、液晶表示パネル６の前面に設置された光遮蔽パネル８の遮蔽位置を可変して視野角調整を実現できるので、色々の状況、たとえば車両の走行状態に応じて自動的に調整を行うことが可能となる。
【００６３】
前記視野角調整信号また視野範囲調整信号は、異なった画像を出力する方向毎に調整値を示す信号であるので、複数方向の異なる画像に対して独立して調整が可能となる。その他クロストークの低減を図ることも可能となる。また、マルチビュー表示装置１は、視野角また視野範囲調整のプリセット手段を備えているので、視野角および視野範囲の調整を簡単かつ迅速に行うことができる。逆に言えば、調整値をメモリ５に一旦記憶すると、光
遮蔽パネル８における出射光の遮蔽位置は、調整値に応じて一義的に求められる。よって視野角および視野範囲の調整を簡単かつ迅速に行うことができる。
【００６４】
メモリ５のうち視野角および視野範囲の調整値記憶領域には、各方向毎に複数の調整値が記憶されるので、各方向に存在する視認者に最適な視野角および視野範囲が設定される。よって複数方向に存在する複数の視認者は、それぞれ異なる明瞭な画像を確実に視認することができる。メモリ５のうち視野角および視野範囲の調整値記憶領域に、各方向毎に調整値が記憶される場合には、各方向に存在する視認者に応じた視野角および視野範囲が設定される。本マルチビュー表示装置１によれば、液晶素子により光の透過／遮蔽制御を実現できる。したがって駆動源を用いてスリットを駆動制御する従来技術に比べて、構造を簡単化することができるうえ、装置の小形化を図ることができる。
【００６５】
また、視認者自らタッチパネル７の操作により視野角および視野範囲の調整をすることができる。また視野角調整時において、調整用画像が表示されるので、この調整用画像を視認者自ら確認しつつ容易に、またより正確な視野角調整を行うことが可能となる。また視野角および視野範囲調整時において、調整値を示す画像が表示されるので、この調整値を視認者自ら確認しつつ視野角調整スイッチを調整することができる。したがって視認者が調整値を容易に記憶しておくことができ、視野角および視野範囲調整の再現性を高めることができる。また視野角および視野範囲調整中に、視認範囲を狭くすることで、視野角および視野範囲調整を高精度で行うことができる。
【００６６】
また本マルチビュー表示装置１によれば、車両の走行状態信号を入力することで、車両の走行状態に応じて光遮蔽パネル８の遮蔽位置を可変され、適切な視野角となる。たとえば、前記走行状態に起因する遠心力または慣性力に反して自ら頭部等を移動させる必要がなくなる。したがって視認者の身体的負担を軽減することができる。車両の走行状態に左右されることなく、各方向の画像を快適にかつ確実に見ることが可能となる。またマルチビュー表示装置１の周囲温度を示す温度信号を入力する場合には、前記周囲温度に対応する光遮蔽パネル８の遮蔽位置の歪量を補正することができる。したがってより高精度な視野角および視野範囲調整をすることができる。さらにたとえばＣＣＤカメラなどを用いて視認者の位置を示す位置信号を入力することで視認者の位置を特定し、視認者の位置に適する高精度な視野角および視野範囲調整をすることができる。
【００６７】
本発明の実施の他の形態として、視認者の左右の目の位置を示す目視位置信号を入力する入力手段を設け、液晶透過／遮蔽板が、視認者が左右の目で異なった画像を目視できるように光遮蔽パネル８の遮蔽位置を可変する構成にしてもよい。この構成によれば、視認者は左右の目で異なる画像を目視できるので、当該視認者は立体画像を目視することが可能となる。
【図面の簡単な説明】
【００６８】
【図１】本発明の実施形態に係るマルチビュー表示装置１を示し、図１（ａ）は、運転席側に出力される画像の一例を表す図、図１（ｂ）は、助手席側に出力される画像の一例を表す図、図１（ｃ）は要部の断面図である。
【図２】マルチビュー表示装置１の制御系のブロック図である。
【図３】マルチビュー表示装置１の視野角調整を段階的に示す概略図であり、図３（ａ）は視野角調整をする前段階の状態を示す図、図３（ｂ）は視野角調整をする第１段階の状態を示す図、図３（ｃ）は視野角調整をする第２段階の状態を示す図である。
【図４】マルチビュー表示装置１の視認範囲（角度幅）調整を段階的に示す概略図であり、図４（ａ）は視認範囲調整をする前段階の状態を示す図、図４（ｂ）は視認範囲調整段階の状態を示す図である。
【図５】本発明の実施形態に係る遮蔽位置調整処理を概略表すフローチャートである。
【図６】本発明の実施形態に係る遮蔽位置調整処理を示すフローチャートである。
【図７】本発明の実施形態に係る調整値記憶処理を表すフローチャートである。
【符号の説明】
【００６９】
１  マルチビュー表示装置
２  ディスプレイ本体
５  メモリ
６  液晶表示パネル
７  タッチパネル
８  光遮蔽パネル
１１  ＣＰＵ
１６  電極基板
【図１】
2006184900.tif 000003
【図２】
2006184900.tif 000004
【図３】
2006184900.tif 000005
【図４】
2006184900.tif 000006
【図５】
2006184900.tif 000007
【図６】
2006184900.tif 000008
【図７】
2006184900.tif 000009